(57)【要約】【課題】基地局装置と移動局装置がフレキシブルサブフレームを用いて効率的に通信すること。【解決手段】移動局装置は、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームにおいて物理下りリンク共用チャネルのスケジューリングに用いられる下りリンクグラントをモニタし、前記第一のフレキシブルサブフレームにおいて、検出した前記下りリンクグラントに基づいて、時間領域で最後の部分を除いた前記物理下りリンク共用チャネルを受信する。【選択図】図８
2014007710.tif 000002
【特許請求の範囲】
【請求項１】
基地局装置と通信する移動局装置において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームにおいて物理下りリンク共用チャネルのスケジューリングに用いられる下りリンクグラントをモニタし、
前記第一のフレキシブルサブフレームにおいて、検出した前記下りリンクグラントに基づいて、時間領域で最後の部分を除いた前記物理下りリンク共用チャネルを受信する
ことを特徴とする移動局装置。
【請求項２】
前記第一のフレキシブルサブフレームより前のサブフレームにおいて、前記第一のフレキシブルサブフレームおよび前記第二のフレキシブルサブフレームにおける物理上りリンク共用チャネルおよび／またはサウンディング参照信号のスケジュールに用いられる上りリンクグラントをモニタする
請求項１に記載の移動局装置。
【請求項３】
基地局装置と通信する移動局装置に用いられる無線通信方法において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームにおいて物理下りリンク共用チャネルのスケジューリングに用いられる下りリンクグラントをモニタし、
前記第一のフレキシブルサブフレームにおいて、検出した前記下りリンクグラントに基づいて、時間領域で最後の部分を除いた前記物理下りリンク共用チャネルを受信する
ことを特徴とする無線通信方法。
【請求項４】
基地局装置と通信する移動局装置に実装される集積回路において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームにおいて物理下りリンク共用チャネルのスケジューリングに用いられる下りリンクグラントをモニタする機能と、
前記第一のフレキシブルサブフレームにおいて、検出した前記下りリンクグラントに基づいて、時間領域で最後の部分を除いた前記物理下りリンク共用チャネルを受信する機能を、前記移動局装置に発揮させる
ことを特徴とする集積回路。
【請求項５】
移動局装置と基地局装置が通信する無線通信システムにおいて、
前記移動局装置は、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームにおいて物理下りリンク共用チャネルのスケジューリングに用いられる下りリンクグラントをモニタし、
前記第一のフレキシブルサブフレームにおいて、検出した前記下りリンクグラントに基づいて、時間領域で最後の部分を除いた前記物理下りリンク共用チャネルを受信する
ことを特徴とする無線通信システム。
【請求項６】
基地局装置と通信する移動局装置において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームおよび前記第二のフレキシブルサブフレームにおいて物理下りリンク共用チャネルのスケジューリングに用いられる下りリンクグラントをモニタしない
ことを特徴とする移動局装置。
【請求項７】
基地局装置と通信する移動局装置に用いられる無線通信方法において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームおよび前記第二のフレキシブルサブフレームにおいて物理下りリンク共用チャネルのスケジューリングに用いられる下りリンクグラントをモニタしない
ことを特徴とする無線通信方法。
【請求項８】
基地局装置と通信する移動局装置に実装される集積回路において、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームおよび前記第二のフレキシブルサブフレームにおいて物理下りリンク共用チャネルのスケジューリングに用いられる下りリンクグラントをモニタしないよう制御する機能を、前記移動局装置に発揮させる
ことを特徴とする集積回路。
【請求項９】
移動局装置と基地局装置が通信する無線通信システムにおいて、
前記移動局装置は、
第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、
前記第一のフレキシブルサブフレームおよび前記第二のフレキシブルサブフレームにおいて物理下りリンク共用チャネルのスケジューリングに用いられる下りリンクグラントをモニタしない
ことを特徴とする無線通信システム。
【請求項１０】
基地局装置と通信する移動局装置において、
時間領域において連続するフレキシブルサブフレームのうち少なくとも１つにおいて上りリンク物理チャネルと上りリンク物理信号の両方またはいずれか一方がスケジュールされた場合には、
前記連続するフレキシブルサブフレームのうち、上りリンク物理チャネルと上りリンク物理信号の両方またはいずれか一方がスケジュールされたフレキシブルサブフレームを上りリンクサブフレームとみなし、
前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、
前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす
ことを特徴とする移動局装置。
【請求項１１】
前記連続するフレキシブルサブフレームのいずれにも前記上りリンク物理チャネルおよび前記上りリンク物理信号がスケジュールされなかった場合には、
前記連続するフレキシブルサブフレームの全てを下りリンクサブフレームとみなす
請求項１０に記載の移動局装置。
【請求項１２】
前記上りリンクサブフレームとみなしたフレキシブルサブフレームにおいて、下りリンク物理チャネルのスケジュールに用いられる下りリンクグラントのモニタを行なわない
請求項１０または請求項１１に記載の移動局装置。
【請求項１３】
前記下りリンクサブフレームとみなしたフレキシブルサブフレームにおいて、下りリンク物理チャネルのスケジュールに用いられる下りリンクグラントのモニタを行なう
請求項１２に記載の移動局装置。
【請求項１４】
基地局装置と通信する移動局装置に用いられる無線通信方法において、
時間領域において連続するフレキシブルサブフレームのうち少なくとも１つにおいて上りリンク物理チャネルと上りリンク物理信号の両方またはいずれか一方がスケジュールされた場合には、
前記連続するフレキシブルサブフレームのうち、上りリンク物理チャネルと上りリンク物理信号の両方またはいずれか一方がスケジュールされたフレキシブルサブフレームを上りリンクサブフレームとみなし、
前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、
前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす
ことを特徴とする無線通信方法。
【請求項１５】
基地局装置と通信する移動局装置に実装される集積回路において、
時間領域において連続するフレキシブルサブフレームのうち少なくとも１つにおいて上りリンク物理チャネルと上りリンク物理信号の両方またはいずれか一方がスケジュールされた場合には、
前記連続するフレキシブルサブフレームのうち、上りリンク物理チャネルと上りリンク物理信号の両方またはいずれか一方がスケジュールされたフレキシブルサブフレームを上りリンクサブフレームとみなし、
前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、
前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす機能を、前記移動局装置に発揮させる
ことを特徴とする集積回路。
【請求項１６】
移動局装置と基地局装置が通信する無線通信システムにおいて、
前記移動局装置は、
時間領域において連続するフレキシブルサブフレームのうち少なくとも１つにおいて上りリンク物理チャネルと上りリンク物理信号の両方またはいずれか一方がスケジュールされた場合には、
前記連続するフレキシブルサブフレームのうち、上りリンク物理チャネルと上りリンク物理信号の両方またはいずれか一方がスケジュールされたフレキシブルサブフレームを上りリンクサブフレームとみなし、
前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、
前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす
ことを特徴とする無線通信システム。
【発明の詳細な説明】
【技術分野】
【０００１】
本発明は、基地局装置、移動局装置、無線通信方法、集積回路、および無線通信システムに関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも呼称する。ＬＴＥは、基地局装置がカバーするエリアをセル状に複数配置するセルラー通信システムである。単一の基地局装置は複数のセルを管理してもよい。
【０００３】
ＬＴＥは、ＴＤＤ（Time Division Duplex）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信を可能にする技術である。
【０００４】
３ＧＰＰにおいて、上りリンクのトラフィックと下りリンクのトラフィックに応じて、上りリンクリソースと下りリンクリソースの比率を変更するトラフィックアダプテーション技術をＴＤ−ＬＴＥに適用することが検討されている。非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、移動局装置は、基地局装置によって、フレキシブルサブフレームにおいて上りリンク信号の送信を指示されない限り、該フレキシブルサブフレームを下りリンクサブフレームとみなす。
【先行技術文献】
【非特許文献】
【０００５】
【非特許文献１】"On standardization impact of TDD UL-DL adaptation", R1-122016, 3GPP TSG-RAN WG1 Meeting #69, Prague, Czech Republic, 21st - 25th May 2012.
【発明の概要】
【発明が解決しようとする課題】
【０００６】
上りリンクリソースと下りリンクリソースの比率を変更しない場合に比べて、トラフィックアダプテーション技術を適用した場合には、大きなパケットスループットの改善が得られる。しかしながら、フレキシブルサブフレームを用いたトラフィックアダプテーション技術は十分に確立されていない。
【０００７】
本発明は上記の点に鑑みてなされたものであり、その目的は、フレキシブルサブフレームを用いて効率的に通信することができる基地局装置、移動局装置、無線通信方法、無線通信システムおよび集積回路を提供することを目的とする。
【課題を解決するための手段】
【０００８】
（１）上記の目的を達成するために、本発明は、以下のような手段を講じた。すなわち、本発明の移動局装置は、基地局装置と通信する移動局装置であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームにおいて物理下りリンク共用チャネルのスケジューリングに用いられる下りリンクグラントをモニタし、前記第一のフレキシブルサブフレームにおいて、検出した前記下りリンクグラントに基づいて、時間領域で最後の部分を除いた前記物理下りリンク共用チャネルを受信する。
【０００９】
（２）また、本発明は、上記の移動局装置において前記第一のフレキシブルサブフレームより前のサブフレームにおいて、前記第一のフレキシブルサブフレームおよび前記第二のフレキシブルサブフレームにおける物理上りリンク共用チャネルおよび／またはサウンディング参照信号のスケジュールに用いられる上りリンクグラントをモニタする。
【００１０】
（３）また、本発明の無線通信方法は、基地局装置と通信する移動局装置に用いられる無線通信方法であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームにおいて物理下りリンク共用チャネルのスケジューリングに用いられる下りリンクグラントをモニタし、前記第一のフレキシブルサブフレームにおいて、検出した前記下りリンクグラントに基づいて、時間領域で最後の部分を除いた前記物理下りリンク共用チャネルを受信する。
【００１１】
（４）また、本発明の集積回路は、基地局装置と通信する移動局装置に実装される集積回路であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームにおいて物理下りリンク共用チャネルのスケジューリングに用いられる下りリンクグラントをモニタする機能と、前記第一のフレキシブルサブフレームにおいて、検出した前記下りリンクグラントに基づいて、時間領域で最後の部分を除いた前記物理下りリンク共用チャネルを受信する機能を、前記移動局装置に発揮させる。
【００１２】
（５）また、本発明の無線通信システムは、移動局装置と基地局装置が通信する無線通信システムであって、前記移動局装置は、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームにおいて物理下りリンク共用チャネルのスケジューリングに用いられる下りリンクグラントをモニタし、前記第一のフレキシブルサブフレームにおいて、検出した前記下りリンクグラントに基づいて、時間領域で最後の部分を除いた前記物理下りリンク共用チャネルを受信する。
【００１３】
（６）また、本発明の移動局装置は、基地局装置と通信する移動局装置であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームおよび前記第二のフレキシブルサブフレームにおいて物理下りリンク共用チャネルのスケジューリングに用いられる下りリンクグラントをモニタしない。
【００１４】
（７）また、本発明の無線通信方法は、基地局装置と通信する移動局装置に用いられる無線通信方法であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームおよび前記第二のフレキシブルサブフレームにおいて物理下りリンク共用チャネルのスケジューリングに用いられる下りリンクグラントをモニタしない。
【００１５】
（８）また、本発明の集積回路は、基地局装置と通信する移動局装置に実装される集積回路であって、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームおよび前記第二のフレキシブルサブフレームにおいて物理下りリンク共用チャネルのスケジューリングに用いられる下りリンクグラントをモニタしないよう制御する機能を、前記移動局装置に発揮させる。
【００１６】
（９）また、本発明の無線通信システムは、移動局装置と基地局装置が通信する無線通信システムであって、前記移動局装置は、第一のフレキシブルサブフレームにおいて物理上りリンク共用チャネルおよびサウンディング参照信号がスケジュールされず、前記第一のフレキシブルサブフレームの直後の第二のフレキシブルサブフレームにおいて少なくとも前記物理上りリンク共用チャネルがスケジュールされた場合には、前記第一のフレキシブルサブフレームおよび前記第二のフレキシブルサブフレームにおいて物理下りリンク共用チャネルのスケジューリングに用いられる下りリンクグラントをモニタしない。
【００１７】
（１０）また、本発明の移動局装置は、基地局装置と通信する移動局装置であって、時間領域において連続するフレキシブルサブフレームのうち少なくとも１つにおいて上りリンク物理チャネルと上りリンク物理信号の両方またはいずれか一方がスケジュールされた場合には、前記連続するフレキシブルサブフレームのうち、上りリンク物理チャネルと上りリンク物理信号の両方またはいずれか一方がスケジュールされたフレキシブルサブフレームを上りリンクサブフレームとみなし、前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす。
【００１８】
（１１）また、本発明は、上記の移動局装置において、前記連続するフレキシブルサブフレームのいずれにも前記上りリンク物理チャネルおよび前記上りリンク物理信号がスケジュールされなかった場合には、前記連続するフレキシブルサブフレームの全てを下りリンクサブフレームとみなす。
【００１９】
（１２）また、本発明は、上記の移動局装置において、前記上りリンクサブフレームとみなしたフレキシブルサブフレームにおいて、下りリンク物理チャネルのスケジュールに用いられる下りリンクグラントのモニタを行なわない。
【００２０】
（１３）また、本発明は、上記の移動局装置において、前記下りリンクサブフレームとみなしたフレキシブルサブフレームにおいて、下りリンク物理チャネルのスケジュールに用いられる下りリンクグラントのモニタを行なう。
【００２１】
（１４）また、本発明の無線通信方法は、基地局装置と通信する移動局装置に用いられる無線通信方法であって、時間領域において連続するフレキシブルサブフレームのうち少なくとも１つにおいて上りリンク物理チャネルと上りリンク物理信号の両方またはいずれか一方がスケジュールされた場合には、前記連続するフレキシブルサブフレームのうち、上りリンク物理チャネルと上りリンク物理信号の両方またはいずれか一方がスケジュールされたフレキシブルサブフレームを上りリンクサブフレームとみなし、前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす。
【００２２】
（１５）また、本発明の集積回路は、基地局装置と通信する移動局装置に実装される集積回路であって、時間領域において連続するフレキシブルサブフレームのうち少なくとも１つにおいて上りリンク物理チャネルと上りリンク物理信号の両方またはいずれか一方がスケジュールされた場合には、前記連続するフレキシブルサブフレームのうち、上りリンク物理チャネルと上りリンク物理信号の両方またはいずれか一方がスケジュールされたフレキシブルサブフレームを上りリンクサブフレームとみなし、前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす機能を、前記移動局装置に発揮させる。
【００２３】
（１６）また、本発明の無線通信システムは、移動局装置と基地局装置が通信する無線通信システムであって、前記移動局装置は、時間領域において連続するフレキシブルサブフレームのうち少なくとも１つにおいて上りリンク物理チャネルと上りリンク物理信号の両方またはいずれか一方がスケジュールされた場合には、前記連続するフレキシブルサブフレームのうち、上りリンク物理チャネルと上りリンク物理信号の両方またはいずれか一方がスケジュールされたフレキシブルサブフレームを上りリンクサブフレームとみなし、前記連続するサブフレームのうち、前記上りリンク物理チャネルと前記上りリンク物理信号の両方またはいずれか一方がスケジュールされた前記フレキシブルサブフレームより前のフレキシブルサブフレームを上りリンクサブフレームとみなし、前記連続するサブフレームのうち、前記上りリンク物理チャネルと前記上りリンク物理信号の両方またはいずれか一方がスケジュールされた最後の前記フレキシブルサブフレームより後のフレキシブルサブフレームを下りリンクサブフレームとみなす。
【発明の効果】
【００２４】
この発明によれば、基地局装置と移動局装置がフレキシブルサブフレームを用いて効率的に通信することができる。
【図面の簡単な説明】
【００２５】
【図１】本実施形態の無線通信システムの概念図である。
【図２】本実施形態の無線フレームの概略構成を示す図である。
【図３】本実施形態の無線フレームにおけるサブフレームの構成の一例を示す表である。
【図４】本実施形態のスロットの構成を示す図である。
【図５】本実施形態の下りリンクサブフレームにおける物理チャネルおよび物理信号の配置の一例を示す図である。
【図６】本実施形態の上りリンクサブフレームにおける物理チャネルおよび物理信号の配置の一例を示す図である。
【図７】本実施形態のスペシャルサブフレームにおける物理チャネルおよび物理信号の配置の一例を示す図である。
【図８】本発明の第一の実施形態における送受信処理の一例を示す図である。
【図９】本発明の第一の実施形態における送受信処理の一例を示す別の図である。
【図１０】本発明の第三の実施形態に関する第一の例を示す図である。
【図１１】本発明の第三の実施形態に関する第二の例を示す図である。
【図１２】本発明の第三の実施形態に関する第三の例を示す図である。
【図１３】本発明の第三の実施形態に関する第四の例を示す図である。
【図１４】本実施形態の移動局装置１の構成を示す概略ブロック図である。
【図１５】本実施形態の基地局装置３の構成を示す概略ブロック図である。
【発明を実施するための形態】
【００２６】
以下、本発明の実施形態について説明する。
【００２７】
本実施形態では、移動局装置は、単一のセルと通信する。しかしながら、本発明は、移動局装置が複数のセルと通信する場合にも適用できる。移動局装置が複数のセルと通信する技術をセルアグリゲーション、またはキャリアアグリゲーションと称する。セルアグリゲーションの場合には、複数のセルのそれぞれにおいて、本発明が適用されてもよい。または、セルアグリゲーションの場合には、複数のセルの一部に本発明が適用されてもよい。また、本実施形態の無線通信システムでは、ＴＤＤ（Time Division Duplex）方式を適用する。
【００２８】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００２９】
本実施形態の物理チャネルおよび物理信号について説明する。
【００３０】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３１】
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨのリソースの要求を示すスケジューリング要求（Scheduling Request: SR）、移動局装置１が受信した下りリンクデータの復号の成否を示すＡＣＫ（acknowledgement）／ＮＡＣＫ（negative-acknowledgement）を含む。
【００３２】
ＰＵＳＣＨは、上りリンクデータ（Uplink-Shared Channel: UL-SCH）を送信するために用いられる物理チャネルである。また、ＰＵＳＣＨは、上りリンクデータとともにＡＣＫ／ＮＡＣＫおよび／またはチャネル状態情報を送信するために用いられてもよい。また、ＰＵＳＣＨはＡＣＫ／ＮＡＣＫおよび／またはチャネル状態情報のみを送信するために用いられてもよい。
【００３３】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、および上りリンク無線リソースの割り当ての要求に用いられる。
【００３４】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３５】
本実施形態において、以下の２つのタイプの上りリンク参照信号が用いられる。
・ＤＭＲＳ（Demodulation Reference Signal）
・ＳＲＳ（Sounding Reference Signal）
【００３６】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳをともに送信することを、単にＰＵＳＣＨを送信すると称する。以下、ＰＵＣＣＨとＤＭＲＳをともに送信することを、単にＰＵＣＣＨを送信すると称する。
【００３７】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳとも称する。第２のＳＲＳをアピリオディックＳＲＳとも称する。
【００３８】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ｅＰＤＣＣＨ（enhanced Physical Downlink Control Channel）
・ＰＤＳＣＨ（Physical Downlink Shared Channel）
【００３９】
ＰＢＣＨは、移動局装置１で共通に用いられるシステム情報（マスターインフォメーションブロック、Broadcast Channel: BCH）を報知するために用いられる。ＰＢＣＨは、４０ms間隔で送信される。４０ms間隔のタイミングは、移動局装置１においてブラインド検出（blind detection）される。また、ＰＢＣＨは、10ms間隔で再送信される。
【００４０】
ＰＣＦＩＣＨは、ＰＤＣＣＨの送信のために予約される領域（ＯＦＤＭシンボル）を指示する情報を送信するために用いられる。
【００４１】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、基地局装置３が上りリンクデータの復号に成功した場合は、該上りリンクデータに対するＨＡＲＱインディケータにＡＣＫをセットする。例えば、基地局装置３が上りリンクデータの復号に失敗した場合は、該上りリンクデータに対するＨＡＲＱインディケータにＮＡＣＫをセットする。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００４２】
ＰＤＣＣＨおよびｅＰＤＣＣＨは、下りリンク制御情報（Downlink Control Information: DCI）を送信するために用いられる。下りリンク制御情報は、下りリンクグラント（downlink assignment；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。また、下りリンク制御情報は、複数の移動局装置１のそれぞれを対象とする複数のＴＰＣコマンド（Transmission Power Control command）から構成されるＤＣＩフォーマット３（Downlink Control Information format 3）を含む。
【００４３】
ＰＤＳＣＨは、下りリンクデータ（Downlink Shared Channel: DL-SCH）を送信するために用いられる。
【００４４】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００４５】
同期信号は、移動局装置１が下りリンクの周波数領域および時間領域の同期をとるために用いられる。下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００４６】
ＢＣＨ、ＵＬ−ＳＣＨおよびＤＬ−ＳＣＨなどは、トランスポートチャネルである。媒体アクセス制御（Medium Access Control: MAC）層で用いられるチャネルをトランスポートチャネルと呼称する。ＭＡＣ層で用いられるトランスポートチャネルの単位を、トランスポートブロック（transport block: TB）またはＭＡＣ  ＰＤＵ（Protocol Data Unit）とも呼称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４７】
以下、本実施形態の無線フレーム（radio frame）の構成について説明する。
【００４８】
図２は、本実施形態の無線フレームの概略構成を示す図である。無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。スロットのそれぞれは、０．５ｍｓ長である。
【００４９】
本実施形態では、以下の４つのタイプのサブフレームを用いる。
・下りリンクサブフレーム（downlink subframe）
・上りリンクサブフレーム（uplink subframe）
・スペシャルサブフレーム（special subframe）
・フレキシブルサブフレーム（flexible subframe）
【００５０】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。
【００５１】
フレキシブルサブフレームは下りリンク送信および／または上りリンク送信が行なわれるサブフレームである。基地局装置３および移動局装置１は、フレキシブルサブフレームを下りリンクサブフレームとみなしてもよい。また、基地局装置３および移動装置１は、フレキシブルサブフレームを上りリンクサブフレームとみなしてもよい。また、基地局装置３および移動局装置１は、フレキシブルサブフレームを、上りリンク送信のためにリザーブされるフィールドと下りリンク送信のためにリザーブされるフィールドを含むサブフレームとみなしてもよい。
【００５２】
単一の無線フレームは、少なくとも下りリンクサブフレーム、上りリンクサブフレーム、およびスペシャルサブフレームから構成される。図３は、本実施形態の無線フレームにおけるサブフレームの構成の一例を示す表である。図３において、無線フレームにおけるサブフレームの構成をｕｐｌｉｎｋ−ｄｏｗｎｌｉｎｋ  ｃｏｎｆｉｇｕｒａｔｉｏｎと称する。図３では、８個のｕｐｌｉｎｋ−ｄｏｗｎｌｉｎｋ  ｃｏｎｆｉｇｕｒａｔｉｏｎを示す。図３において、Dは下りリンクサブフレームを示し、Ｕは上りリンクサブフレームを示し、Ｓはスペシャルサブフレームを示し、Ｆはフレキシブルサブフレームを示す。
【００５３】
本実施形態の無線通信システムは、５ｍｓと１０ｍｓのｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙをサポートする。ｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙが５ｍｓの場合には、無線フレーム内の両方のハーフフレームにスペシャルサブフレームが含まれる。ｄｏｗｎｌｉｎｋ−ｔｏ−ｕｐｌｉｎｋ  ｓｗｉｔｃｈ−ｐｏｉｎｔ  ｐｅｒｉｏｄｉｃｉｔｙが１０ｍｓの場合には、無線フレーム内の最初のハーフフレームのみにスペシャルサブフレームが含まれる。
【００５４】
サブフレーム０と５とＤｗＰＴＳは常に下りリンク送信のためにリザーブされる。スペシャルサブフレームの直後のサブフレームとＵｐＰＴＳは常に上りリンク送信のためにリザーブされる。フレキシブルサブフレームは、無線フレーム内のサブフレーム３、４、８、および９のみに設定できる。
【００５５】
基地局装置３は、スペシャルサブフレームの構成（ＤｗＰＴＳ、ＧＰ、およびＵｐＰＴＳの長さ）を示す情報とｕｐｌｉｎｋ−ｄｏｗｎｌｉｎｋ  ｃｏｎｆｉｇｕｒａｔｉｏｎを示す情報を移動局装置１に通知する。例えば、基地局装置３は、ＰＤＳＣＨを用いて該情報を含むシステムインフォメーションブロックを送信する。
【００５６】
以下、本実施形態のスロットの構成について説明する。
【００５７】
図４は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００５８】
リソースブロックは、ある物理チャネル（ＰＤＳＣＨまたはＰＵＳＣＨなど）のリソースエレメントのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５９】
以下、サブフレームのそれぞれにおいて送信される物理チャネルおよび物理信号について説明する。
【００６０】
図５は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ｅＰＤＣＣＨ、ＰＤＳＣＨ）、および下りリンク物理信号（同期信号、下りリンク参照信号）を送信できる。尚、ＰＢＣＨは無線フレーム内のサブフレーム０のみで送信される。尚、同期信号は無線フレーム内のサブフレーム０と５のみに配置される。尚、下りリンク参照信号は周波数領域および時間領域において分散するリソースエレメントに配置される。説明の簡略化のため図５において下りリンク参照信号は図示しない。
【００６１】
ＰＤＣＣＨ領域において、複数のＰＤＣＣＨが周波数および時間多重される。ｅＰＤＣＣＨ領域において、複数のｅＰＤＣＣＨが周波数、時間、および空間多重される。ＰＤＳＣＨ領域において、複数のＰＤＳＣＨが周波数および空間多重される。ＰＤＣＣＨとＰＤＳＣＨまたはｅＰＤＣＣＨは時間多重される。ＰＤＳＣＨとｅＰＤＣＣＨは周波数多重される。
【００６２】
基地局装置３は、上りリンクサブフレームまたはフレキシブルサブフレームのＰＵＳＣＨに関するＰＤＣＣＨ（上りリンクグラント）を下りリンクサブフレームのみにおいて送信する。また、基地局装置３は、上りリンクサブフレームまたはフレキシブルサブフレームのＰＵＳＣＨに関するＰＨＩＣＨ（ＡＣＫ／ＮＡＣＫ）を下りリンクサブフレームのみにおいて送信する。
【００６３】
図６は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信できる。ＰＵＣＣＨ領域において、複数のＰＵＣＣＨが周波数、時間、および符合多重される。ＰＵＳＣＨ領域において、複数のＰＵＳＣＨが周波数および空間多重される。ＰＵＣＣＨとＰＵＳＣＨは周波数多重される。ＰＲＡＣＨは単一のサブフレームまたは２つのサブフレームにわたって配置される。また、複数のＰＲＡＣＨが符号多重される。
【００６４】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセル内において、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図６においてＤＭＲＳは図示しない。
【００６５】
図７は、本実施形態のスペシャルサブフレームにおける物理チャネルおよび物理信号の配置の一例を示す図である。図７において、ＤｗＰＴＳはスペシャルサブフレーム内の1番目から９番目のＳＣ−ＦＤＭＡシンボルから構成され、ＧＰはスペシャルサブフレーム内の１０番目から１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００６６】
基地局装置３は、スペシャルサブフレームのＤｗＰＴＳにおいて、ＰＣＦＩＣＨ、ＰＨＩＣＨ、ＰＤＣＣＨ、ｅＰＤＣＣＨ、ＰＤＳＣＨ、および下りリンク参照信号を送信できる。基地局装置３は、スペシャルサブフレームのＤｗＰＴＳにおいて、ＰＢＣＨおよび同期信号を送信しない。移動局装置１は、スペシャルサブフレームのＵｐＰＴＳにおいて、ＰＲＡＣＨ、およびＳＲＳを送信できる。つまり、移動局装置１は、スペシャルサブフレームのＵｐＰＴＳにおいて、ＰＵＣＣＨ、ＰＵＳＣＨ、およびＤＭＲＳを送信しない。
【００６７】
以下、フレキシブルサブフレームにおいて送信される物理チャネルおよび物理信号について説明する。
【００６８】
基地局装置３は、フレキシブルサブフレームにおいて、少なくともｅＰＤＣＣＨ、およびＰＤＳＣＨを送信できる。また、基地局装置３は、フレキシブルサブフレームにおいて、ＰＣＦＩＣＨ、ＰＤＣＣＨを送信してもよい。基地局装置３は、フレキシブルサブフレームにおいて、ＰＢＣＨおよび同期信号を送信しない。移動局装置１は、フレキシブルサブフレームにおいて、ＰＵＳＣＨ、ＤＭＲＳ、およびＳＲＳを送信できる。つまり、移動局装置１は、フレキシブルサブフレームにおいて、ＰＲＡＣＨ、およびＰＵＣＣＨを送信しない。
【００６９】
移動局装置１は、フレキシブルサブフレームにおいてＰＵＳＣＨおよび／またはＳＲＳの送信がスケジュールされているかどうかに応じて、該フレキシブルサブフレームを下りリンクサブフレームまたは上りリンクサブフレームとみなす。つまり、移動局装置１は、フレキシブルサブフレームにおいてＰＵＳＣＨおよび／またはＳＲＳの送信がスケジュールされているかどうかに応じて、該フレキシブルサブフレームにおいて下りリンク物理チャネルおよび／または下りリンク物理信号の受診処理を行うか上りリンク物理チャネルおよび／または上りリンク物理信号の送信処理を行うかを制御する。
【００７０】
移動局装置１は、フレキシブルサブフレームにおいてＰＵＳＣＨおよびＳＲＳの送信をスケジュールされた場合、該フレキシブルサブフレームにおいてＰＵＳＣＨおよびＳＲＳを送信し、ＰＤＣＣＨおよび／またはｅＰＤＣＣＨを介して下りリンク制御情報の受信処理（モニタ）を行なわない。移動局装置１は、フレキシブルサブフレームにおいてＰＵＳＣＨおよびＳＲＳの送信をスケジュールされた場合、該フレキシブルサブフレームを上りリンクサブフレームとみなす。
【００７１】
移動局装置１は、フレキシブルサブフレームにおいてＳＲＳの送信をスケジュールされずＰＵＳＣＨの送信をスケジュールされた場合、該フレキシブルサブフレームにおいてＰＵＳＣＨを送信し、ＰＤＣＣＨおよび／またはｅＰＤＣＣＨを介して下りリンク制御情報の受信処理（モニタ）を行なわない。移動局装置１は、フレキシブルサブフレームにおいてＳＲＳの送信をスケジュールされずＰＵＳＣＨの送信をスケジュールされた場合、該フレキシブルサブフレームを上りリンクサブフレームとみなす。
【００７２】
移動局装置１は、フレキシブルサブフレームにおいてＰＵＳＣＨの送信をスケジュールされずＳＲＳの送信をスケジュールされた場合、該フレキシブルサブフレームにおいてＳＲＳを送信し、ＰＤＣＣＨおよび／またはｅＰＤＣＣＨを介して下りリンク制御情報の受信処理（モニタ）を行なわない。移動局装置１は、フレキシブルサブフレームにおいてＰＵＳＣＨの送信をスケジュールされずＳＲＳの送信をスケジュールされた場合、該フレキシブルサブフレームを上りリンクサブフレームとみなす。
【００７３】
移動局装置１は、フレキシブルサブフレームにおいてＰＵＳＣＨおよびＳＲＳの送信をスケジュールされていない場合、ＰＤＣＣＨおよび／またはｅＰＤＣＣＨを介して少なくとも下りリンクグラントの受信処理（モニタ）を行なう。移動局装置１は、フレキシブルサブフレームにおいて下りリンクグラントを検出した場合、該フレキシブルサブフレームにおいて該検出した下りリンクグラントに応じてＰＤＳＣＨの受信処理を行う。移動局装置１は、フレキシブルサブフレームにおいてＰＵＳＣＨおよびＳＲＳの送信をスケジュールされていない場合、該フレキシブルサブフレームを下りリンクサブフレームとみなす。
【００７４】
フレキシブルサブフレームにおいてＰＵＳＣＨまたはＳＲＳの送信をスケジュールされた場合とは、フレキシブルサブフレームよりも前の下りリンクサブフレームにおいて、該フレキシブルサブフレームのＰＵＳＣＨをスケジュールする情報を検出（受信）した場合である。
【００７５】
尚、移動局装置１は、フレキシブルサブフレームにおいてＰＵＳＣＨの送信をスケジュールされずにＳＲＳの送信をスケジュールされた場合、該フレキシブルサブフレームにおいてＳＲＳを送信し、ｅＰＤＣＣＨの受信処理（モニタ）を行なわず、ＰＤＣＣＨを用いて下りリンクグラント以外の下りリンク制御情報（例えば、ＤＣＩフォーマット３）の受信処理（モニタ）を行なってもよい。ＰＤＣＣＨはフレキシブルサブフレームの１番目のシンボルから配置され、ＳＲＳはフレキシブルサブフレームの最後のシンボルに配置されるため、ＰＤＣＣＨおよびＳＲＳが配置されないシンボルがＧＰの機能を果たす。つまり、移動局装置１は、フレキシブルサブフレームにおいてＰＵＳＣＨの送信をスケジュールされずにＳＲＳの送信をスケジュールされた場合、該フレキシブルサブフレームを上りリンク送信のためにリザーブされるフィールドと下りリンク送信のためにリザーブされるフィールドを含むサブフレームとみなしてもよい。
【００７６】
従来のＴＤＤ方式では、移動局装置１は、上りリンク送信処理から下りリンク受信処理に切り替えるためにＧＰを必要としていなかった。また、移動局装置１は、従来のＴＤＤ方式では、下りリンク受信処理から上りリンク送信処理に切り替えるためにスペシャルサブフレームのＧＰを利用していた。しかしながら、移動局装置１はフレキシブルサブフレームにおいて制限なくＰＤＳＣＨの受信処理とＰＵＳＣＨの送信処理を切り替えることができる。これにより、ＰＵＳＣＨの送信処理が行なわれる上りリンクサブフレームまたはフレキシブルサブフレームの直前のフレキシブルサブフレームにおいて、ＧＰが無いにもかかわらず移動局装置１がＰＤＳＣＨの受信処理を行おうとする状況が発生してしまう。つまり、移動局装置１は、同一の周波数および同一のタイミングにおいてＰＤＳＣＨの受信処理とＰＵＳＣＨの送信処理を同時に行うことが求められるが、そのような処理は不可能である。
【００７７】
以下、本発明の第一の実施形態について説明する。
【００７８】
そこで、本発明の第一の実施形態では、図３で示したように、フレキシブルサブフレームの直前のサブフレームを上りリンクサブフレームまたはフレキシブルサブフレームとする。これにより、移動局装置１は、上りリンクサブフレームにおいて上りリンク送信処理を行った直後にフレキシブルサブフレームにおいて上りリンク送信処理または下りリンク受信処理を正常に行うことができる。
【００７９】
また、本発明の第一の実施形態では、図３で示したように、フレキシブルサブフレームの直後のサブフレームをフレキシブルサブフレームまたは下りリンクサブフレームとする。フレキシブルサブフレームの直後のサブフレームを下りリンクサブフレームにすることにより、移動局装置１は、フレキシブルサブフレームにおいて上りリンク送信処理または下りリンク受信処理を行った直後に下りリンクサブフレームにおいて下りリンク受信処理を正常に行うことができる。
【００８０】
しかしながら、フレキシブルサブフレームが連続する場合には、上述したように移動局装置１はＰＤＳＣＨおよび／またはｅＰＤＣＣＨの受信処理を行うフレキシブルサブフレームの直後のフレキシブルサブフレームにおいてＰＵＳＣＨの送信処理を行うことができないという問題がある。
【００８１】
図８は、本発明の第一の実施形態における送受信処理の一例を示す図である。図８において、移動局装置１は、第一のフレキシブルサブフレームにおいてＰＤＳＣＨを受信し、第一のフレキシブルサブフレームの直後の第二のフレキシブルサブフレームにおいてＰＵＳＣＨを送信する。図８において、移動局装置１は、少なくともＰＵＳＣＨがスケジュールされた第二のフレキシブルサブフレームの直前の第一のフレキシブルサブフレームの一部を受信しないことによって、ＧＰを作り出す。例えば、移動局装置１は、少なくともＰＵＳＣＨがスケジュールされた第二のフレキシブルサブフレームの直前の第一のフレキシブルサブフレームの最後の部分、または後半の一部分を受信しないことによって、ＧＰを作り出す。
【００８２】
生成されるＧＰの長さ、すなわち、第一のフレキシブルサブフレームで受信しない部分は、スペシャルサブフレームのコンフィグレーション（ＧＰの長さ）に基づいて移動局装置１が決定してもよい。つまり、移動局装置１は、少なくともＰＵＳＣＨがスケジュールされた第二のフレキシブルサブフレームの直前の第一のフレキシブルサブフレームにおいて、下りリンク信号（ＰＤＣＣＨおよびｅＰＤＣＣＨおよび下りリンク参照信号）の一部を受信しなくてもよい。つまり、移動局装置１は、少なくともＰＵＳＣＨがスケジュールされた第二のフレキシブルサブフレームの直前の第一のフレキシブルサブフレームにおいて、時間領域で最後の部分（ＧＰの生成に必要な部分）を除いた前記物理下りリンク共用チャネルを受信する。
【００８３】
例えば、移動局装置１は、第一のフレキシブルサブフレームにおいてＰＵＳＣＨおよびＳＲＳがスケジュールされず、前記第一のフレキシブルサブフレームの直後の第二のフレキシブルサブフレームにおいて少なくともＰＵＳＣＨがスケジュールされた場合には、
（１）前記第一のフレキシブルサブフレームにおいてＰＤＳＣＨのスケジューリングに用いられる下りリンクグラントをモニタし、
（２）前記第一のフレキシブルサブフレームにおいて、検出した前記下りリンクグラントに基づいて、時間領域で最後の部分を除いた前記ＰＤＳＣＨを受信する。
【００８４】
尚、移動局装置１は、前記第一のフレキシブルサブフレームより前の下りリンクサブフレームにおいて、前記第一のフレキシブルサブフレームおよび前記第二のフレキシブルサブフレームにおけるＰＵＳＣＨおよび／またはＳＲＳのスケジュールに用いられる情報（例えば、上りリンクグラント）をモニタする。
【００８５】
図９は、本発明の第一の実施形態における送受信処理の一例を示す別の図である。ＳＲＳはサブフレームの最後（１４番目）のＳＣ−ＦＤＭＡシンボルのみで送信されるため、ＳＲＳのみがスケジュールされたフレキシブルサブフレームにおいて１番目から１３番目のＳＣ−ＦＤＭＡシンボルの期間がＧＰとなる。ゆえに、移動局装置１は、ＳＲＳのみがスケジュールされた第二のフレキシブルサブフレームの直前の第一のフレキシブルサブフレームの最後の部分を受信しないことによって、ＧＰを作り出す必要はない。つまり、移動局装置１は、ＳＲＳのみがスケジュールされたフレキシブルサブフレームの直前のフレキシブルサブフレームにおいて、下りリンク信号（ＰＤＣＣＨおよびｅＰＤＣＣＨおよび下りリンク参照信号）の全部を受信することができる。
【００８６】
ゆえに、移動局装置１は、フレキシブルサブフレームにおいて上りリンク送信処理を行う際、該上りリンク送信処理を行う第二のフレキシブルサブフレームにおいて送信する上りリンク物理チャネルおよび／または上りリンク物理信号に応じて該上りリンク送信処理を行う第二のフレキシブルサブフレームの直前の第一のフレキシブルサブフレームの最後の部分を受信しないことによってＧＰを作り出すかどうかを決定する。
【００８７】
これにより、移動局装置１は、同じ周波数のあるタイミングにおいて同時に上りリンク送信処理と下りリンク受信処理を同時に行うことを要求されなくなる。また、移動局装置１と基地局装置３は、フレキシブルサブフレームを用いて効率的に通信することができる。
【００８８】
以下、本発明の第二の実施形態について説明する。
【００８９】
本発明の第二の実施形態では、移動局装置１は、少なくともＰＵＳＣＨがスケジュールされたフレキシブルサブフレームの直前のサブフレームにおいて、ｅＰＤＣＣＨを受信しないがＰＤＣＣＨを受信する。移動局装置１は、少なくともＰＵＳＣＨがスケジュールされたフレキシブルサブフレームの直前のサブフレームのＰＤＣＣＨで下りリンクグラントの監視（モニタ）をしない。移動局装置１は、少なくともＰＵＳＣＨがスケジュールされたフレキシブルサブフレームの直前のサブフレームのＰＤＣＣＨで下りリンクグラント以外の下りリンク制御情報（例えば、ＤＣＩフォーマット３）を監視（モニタ）する。尚、移動局装置１は、少なくともＰＵＳＣＨがスケジュールされたフレキシブルサブフレームの直前のサブフレームにおいて、ＰＤＣＣＨを受信しなくてもよい。
【００９０】
これにより、移動局装置１は、少なくともＰＵＳＣＨがスケジュールされたフレキシブルサブフレームの直前のサブフレームにおいて、下りリンクグラントに従ってＰＤＳＣＨを受信することがなくなる。
【００９１】
または、移動局装置１は、少なくともＰＵＳＣＨがスケジュールされたフレキシブルサブフレームの直前のサブフレームのＰＤＣＣＨで下りリンクグラントを検出したとしても、該下りリンクグラントに従ってＰＤＳＣＨの受信をしなくてもよい。
【００９２】
つまり、移動局装置１は、あるフレキシブルサブフレームにおいて少なくともＰＵＳＣＨがスケジュールされた場合、該少なくともＰＵＳＣＨがスケジュールされたフレキシブルサブフレームにおいてＰＤＣＣＨおよびｅＰＤＣＣＨの受信をせず、該少なくともＰＵＳＣＨがスケジュールされたフレキシブルサブフレームの直前のフレキシブルサブフレームにおいてｅＰＤＣＣＨを受信しないがＰＤＣＣＨを受信する。また、移動局装置１は、あるフレキシブルサブフレームにおいて少なくともＰＵＳＣＨがスケジュールされた場合、該少なくともＰＵＳＣＨがスケジュールされたフレキシブルサブフレーム、および、該少なくともＰＵＳＣＨがスケジュールされたフレキシブルサブフレームの直前のフレキシブルサブフレームにおいて下りリンクグラントを監視（モニタ）しない。
【００９３】
尚、移動局装置１は、ＳＲＳのみがスケジュールされたフレキシブルサブフレームの直前のフレキシブルサブフレームにおいて、ＰＤＣＣＨおよび／またはｅＰＤＣＣＨを受信してもよい。また、移動局装置１は、ＳＲＳのみがスケジュールされたフレキシブルサブフレームの直前のフレキシブルサブフレームのＰＤＣＣＨおよび／またはｅＰＤＣＣＨで下りリンクグラントを監視（モニタ）してもよい。
【００９４】
ゆえに、移動局装置１は、フレキシブルサブフレームにおいて上りリンク送信処理を行う際、該上りリンク送信処理を行うフレキシブルサブフレームにおいて送信する上りリンク物理チャネルおよび／または上りリンク物理信号に応じて該上りリンク送信処理を行うフレキシブルサブフレームの直前のフレキシブルサブフレームにおいて、ｅＰＤＣＣＨを受信するかどうか、およびＰＤＣＣＨで下りリンクグラントを監視（モニタ）するかどうかを決定する。
【００９５】
つまり、移動局装置１は、第一のフレキシブルサブフレームにおいてＰＵＳＣＨおよびＳＲＳがスケジュールされず、前記第一のフレキシブルサブフレームの直後の第二のフレキシブルサブフレームにおいて少なくとも前記ＰＵＳＣＨがスケジュールされた場合には、前記第一のフレキシブルサブフレームおよび前記第二のフレキシブルサブフレームにおいてＰＤＳＣＨのスケジューリングに用いられる下りリンクグラントをモニタしない。
【００９６】
これにより、移動局装置１は、少なくともＰＵＳＣＨがスケジュールされたフレキシブルサブフレームの直前のフレキシブルサブフレームにおいて、ｅＰＤＣＣＨおよびＰＤＳＣＨの受信処理を行わなくなる。また、移動局装置１と基地局装置３は、フレキシブルサブフレームを用いて効率的に通信することができる。
【００９７】
以下、本発明の第三の実施形態について説明する。
【００９８】
本発明の第三の実施形態では、移動局装置１は、ＰＵＳＣＨおよび／またはＳＲＳがスケジュールされたフレキシブルサブフレームを上りリンクサブフレームとみなす。また、移動局装置１は、連続するフレキシブルサブフレームのうちＰＵＳＣＨおよび／またはＳＲＳがスケジュールされたフレキシブルサブフレームより前のフレキシブルサブフレームを上りリンクサブフレームとみなす。つまり、移動局装置１は、連続するフレキシブルサブフレームのうち最後にＰＵＳＣＨがスケジュールされたフレキシブルサブフレームより前の連続するフレキシブルサブフレームを上りリンクサブフレームとみなす。移動局装置１は、連続するフレキシブルサブフレームのうちＰＵＳＣＨおよび／またはＳＲＳがスケジュールされた最後のフレキシブルサブフレームより後のフレキシブルサブフレームを下りリンクサブフレームとみなす。移動局装置１は、連続するフレキシブルサブフレームのいずれにもＰＵＳＣＨおよび／またはＳＲＳがスケジュールされなかった場合、該連続するフレキシブルサブフレームの全てを下りリンクサブフレームとみなす。
【００９９】
移動局装置１は、上りリンクサブフレームであるとみなしたフレキシブルサブフレームにおいて、下りリンク受信処理を行わない。つまり、移動局装置１は、上りリンクサブフレームであるとみなしたフレキシブルサブフレームにおいて、下りリンク物理チャネルおよび下りリンク物理信号の受信をしない。つまり、移動局装置１は、上りリンクサブフレームであるとみなしたフレキシブルサブフレームにおいて下りリンクグラントを監視（モニタ）しない。
【０１００】
移動局装置１は、下りリンクサブフレームであるとみなしたフレキシブルサブフレームにおいて、下りリンク物理チャネルおよび下りリンク物理信号の受信をする。例えば、移動局装置１は、下りリンクサブフレームであるとみなしたフレキシブルサブフレームにおいて、ＰＤＳＣＨのリソースが設定されている場合には、該ＰＤＳＣＨの受信をする。例えば、移動局装置１は、下りリンクサブフレームであるとみなしたフレキシブルサブフレームにおいて下りリンクグラントの監視（モニタ）を行い、検出した下りリンクグラントに基づいて該フレキシブルサブフレームにおいてＰＤＳＣＨの受信をする。
【０１０１】
つまり、第三の実施形態の移動局装置１は、連続するフレキシブルサブフレームのうち少なくとも１つに上りリンク物理チャネルと上りリンク物理信号の両方またはいずれか一方がスケジュールされた場合には、
（１）前記連続するフレキシブルサブフレームのうち、上りリンク物理チャネルと上りリンク物理信号の両方またはいずれか一方がスケジュールされたフレキシブルサブフレームにおいて、下りリンク物理チャネルのスケジュールに用いられる下りリンクグラントのモニタを行なわず、
（２）前記連続するサブフレームのうち、前記上りリンク物理チャネルと前記上りリンク物理信号の両方またはいずれか一方がスケジュールされた前記フレキシブルサブフレームより前のフレキシブルサブフレームにおいて、下りリンク物理チャネルのスケジュールに用いられる下りリンクグラントのモニタを行なわず、
（３）前記連続するサブフレームのうち、前記上りリンク物理チャネルと前記上りリンク物理信号の両方またはいずれか一方がスケジュールされた最後の前記フレキシブルサブフレームより後のフレキシブルサブフレームにおいて、下りリンク物理チャネルのスケジュールに用いられる下りリンクグラントのモニタを行なう。
【０１０２】
また、第三の実施形態の移動局装置１は、前記連続するフレキシブルサブフレームのいずれにも前記上りリンク物理チャネルおよび前記上りリンク物理信号がスケジュールされなかった場合には、前記連続するフレキシブルサブフレームの全てを下りリンクサブフレームとみなす。
【０１０３】
図１０は、本発明の第三の実施形態に関する第一の例を示す図である。図１０において、横軸は時間領域である。図１０は、時間領域において連続する３つのサブフレーム（第一および第二および第三のフレキシブルサブフレーム）を示す。図１０において、移動局装置１は、第一および第二のフレキシブルサブフレームにＰＵＳＣＨおよびＳＲＳがスケジュールされず、第三のフレキシブルサブフレームにＰＵＳＣＨおよび／またはＳＲＳがスケジュールされている。
【０１０４】
図１０において、移動局装置１は、ＰＵＳＣＨおよび／またはＳＲＳがスケジュールされた第三のフレキシブルサブフレームを上りリンクサブフレームとみなす。また、図１０において、移動局装置１は、最後にＰＵＳＣＨおよび／またはＳＲＳがスケジュールされた第三のフレキシブルサブフレームよりも前の第一および第二のフレキシブルサブフレームを上りリンクサブフレームとみなす。
【０１０５】
図１１は、本発明の第三の実施形態に関する第二の例を示す図である。図１１において、横軸は時間領域である。図１１は、時間領域において連続する３つのサブフレーム（第一および第二および第三のフレキシブルサブフレーム）を示す。図１１において、移動局装置１は、第二のフレキシブルサブフレームにＰＵＳＣＨおよびＳＲＳがスケジュールされず、第一および第三のフレキシブルサブフレームにＰＵＳＣＨおよび／またはＳＲＳがスケジュールされている。
【０１０６】
図１１において、移動局装置１は、ＰＵＳＣＨおよび／またはＳＲＳがスケジュールされた第一および第三のフレキシブルサブフレームを上りリンクサブフレームとみなす。また、図１１において、移動局装置１は、最後にＰＵＳＣＨおよび／またはＳＲＳがスケジュールされた第三のフレキシブルサブフレームよりも前の第二のフレキシブルサブフレームを上りリンクサブフレームとみなす。
【０１０７】
図１２は、本発明の第三の実施形態に関する第三の例を示す図である。図１２において、横軸は時間領域である。図１２は、時間領域において連続する３つのサブフレーム（第一および第二および第三のフレキシブルサブフレーム）を示す。図１２において、移動局装置１は、第一および第三のフレキシブルサブフレームにＰＵＳＣＨおよびＳＲＳがスケジュールされず、第二のフレキシブルサブフレームにＰＵＳＣＨおよび／またはＳＲＳがスケジュールされている。
【０１０８】
図１２において、移動局装置１は、ＰＵＳＣＨおよび／またはＳＲＳがスケジュールされた第二のフレキシブルサブフレームを上りリンクサブフレームとみなす。また、図１２において、移動局装置１は、最後にＰＵＳＣＨおよび／またはＳＲＳがスケジュールされた第二のフレキシブルサブフレームよりも前の第一のフレキシブルサブフレームを上りリンクサブフレームとみなす。また、図１２において、移動局装置１は、最後にＰＵＳＣＨおよび／またはＳＲＳがスケジュールされた第二のフレキシブルサブフレームよりも後の第一のフレキシブルサブフレームを下りリンクサブフレームとみなす。
【０１０９】
図１３は、本発明の第三の実施形態に関する第四の例を示す図である。図１３において、横軸は時間領域である。図１３は、時間領域において連続する３つのサブフレーム（第一および第二および第三のフレキシブルサブフレーム）を示す。図１３において、移動局装置１は、第一、第二および第三のフレキシブルサブフレームのいずれにもＰＵＳＣＨおよびＳＲＳがスケジュールされない。図１３において、移動局装置１は、第一、第二および第三のフレキシブルサブフレームの全てを下りリンクサブフレームとみなす。
【０１１０】
尚、２つのフレキシブルサブフレームのみが連続している場合、移動局装置１はＰＵＳＣＨがスケジュールされたフレキシブルサブフレームの直前のフレキシブルサブフレームを上りリンクサブフレームとみなしてもよい。
【０１１１】
尚、フレキシブルサブフレームが連続していない場合には、第三の実施形態は適用されない。例えば、第一のフレキシブルサブフレームが第二のフレキシブルサブフレームと連続しており、第三のフレキシブルサブフレームがいずれのフレキシブルサブフレームとも連続していない場合には、第一のフレキシブルサブフレームおよび第二のフレキシブルサブフレームに対して第三の実施形態が適用されるが、第三のフレキシブルサブフレームに対して第三の実施形態は適用されない。
【０１１２】
これにより、移動局装置１は、連続するフレキシブルサブフレームのうち上りリンクサブフレームとみなしたフレキシブルサブフレームより前の連続するフレキシブルサブフレームを下りリンクサブフレームとみなすことはなくなる。従って、移動局装置１は、連続するフレキシブルサブフレームにおいて、上りリンク送信処理から下りリンク受信処理に切り替えることはあっても、下りリンク受信処理から上りリンク送信処理に切り替えることはなくなる。また、移動局装置１と基地局装置３は、フレキシブルサブフレームを用いて効率的に通信することができる。
【０１１３】
以下、本実施形態の装置構成について説明する。
【０１１４】
図１４は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３とサブフレーム制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１１５】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１６】
上位層処理部１０１が備える無線リソース制御部１０１１は、自装置の各種設定情報の管理をする。無線リソース制御部１０１１は、ｕｐｌｉｎｋ−ｄｏｗｎｌｉｎｋ  ｃｏｎｆｉｇｕｒａｔｉｏｎの管理をする。また、無線リソース制御部１０１１は、上りリンクの各チャネルに配置される情報を生成し、送信部１０７に出力する。
【０１１７】
上位層処理部１０１が備えるスケジューリング情報解釈部１０１３は、受信部１０５を介して受信した物理チャネル（ＰＵＳＣＨやＰＤＳＣＨなど）のスケジューリングに用いられる情報の解釈をし、前記情報を解釈した結果に基づき、受信部１０５、および送信部１０７の制御を行なうために制御情報を生成し、制御部１０３に出力する。
【０１１８】
上位層処理部１０１が備えるサブフレーム制御部１０１５は、フレキシブルサブフレームにおいて下りリンク受信処理を行うか上りリンク送信処理を行うかを決定する。また、サブフレーム制御部１０１５は、フレキシブルサブフレームにおいてＰＤＣＣＨおよび／またはｅＰＤＣＣＨの受信処理を行うかどうかを決定する。また、サブフレーム制御部１０１５は、フレキシブルサブフレームにおいてＰＤＣＣＨおよび／またはｅＰＤＣＣＨで下りリンクグラントの監視（モニタ）をするかどうかを決定する。
【０１１９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１２０】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１２１】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１２２】
多重分離部１０５５は、抽出した信号をＰＨＩＣＨ、ＰＤＣＣＨ、ｅＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１２３】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはｅＰＤＣＣＨに対して、ＱＰＳＫ変調方式の復調を行ない、復号化部１０５１へ出力する。復号化部１０５１は、ＰＤＣＣＨおよび／またはｅＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１２４】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１２５】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１２６】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１２７】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１２８】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭを用いることにより同一のＰＵＳＣＨで送信される複数の上りリンクデータを、複数の系列にマッピングし、この系列に対してプレコーディング（precoding）を行なう。
【０１２９】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１３０】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１３１】
図１５は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３と制御情報生成部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１３２】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１３３】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。無線リソース制御部３０１１は、移動局装置１各々のｕｐｌｉｎｋ−ｄｏｗｎｌｉｎｋ  ｃｏｎｆｉｇｕｒａｔｉｏｎの管理をする。
【０１３４】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０１３５】
制御情報生成部３０１５は、スケジューリング部３０１３から入力されたスケジューリング結果に基づき、物理チャネル（ＰＤＳＣＨおよびＰＵＳＣＨ）のスケジューリングに用いられる情報を生成する。また、制御情報生成部３０１５は、ハンドオーバコマンドなどを生成する。また、制御情報生成部３０１５は、生成した情報を送信部３０７へ出力する。
【０１３６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３７】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１３８】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１３９】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１４０】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１４１】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１４２】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ｅＰＤＣＣＨ、ＰＤＳＣＨ、および下りリンク参照信号を多重して、送受信アンテナ３０９を介して移動局装置１に信号を送信する。
【０１４３】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１４４】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１４５】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１４６】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１４７】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４８】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１４９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５０】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５２】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  サブフレーム制御部
３０１１  無線リソース制御部
３０１３  スケジューリング部
３０１５  制御情報生成部
【図１】
2014007710.tif 000003
【図２】
2014007710.tif 000004
【図３】
2014007710.tif 000005
【図４】
2014007710.tif 000006
【図５】
2014007710.tif 000007
【図６】
2014007710.tif 000008
【図７】
2014007710.tif 000009
【図８】
2014007710.tif 000010
【図９】
2014007710.tif 000011
【図１０】
2014007710.tif 000012
【図１１】
2014007710.tif 000013
【図１２】
2014007710.tif 000014
【図１３】
2014007710.tif 000015
【図１４】
2014007710.tif 000016
【図１５】
2014007710.tif 000017